(57)【要約】【課題】内部配線用電線の収納性が良いジョイントコネクタを提供する。【解決手段】一対のワイヤハーネスＷＨ１，ＷＨ２の端部に設けられた各コネクタ１６，１７，１８が嵌合される複数のコネクタ装着部１３，１４，１５と、この各コネクタ装着部１３，１４，１５内に配置される所定の端子２０ａ，２１ａ間を電気的に接続する複数の内部配線用電線２０，２１とを有し、この複数の内部配線用電線２０を介して一対のワイヤハーネスＷＨ１，ＷＨ２間を電気的に接続すると共に、内部配線用電線２１を介して一部の電線間をスプライス接続するジョイントコネクタ１０であって、各コネクタ装着部１３，１４，１５の内部配線用電線２０，２１が導き出される面で、かつ、その近傍に複数の電線収納室２３ａ〜２３ｇを設け、各電線収納室２３ａ〜２３ｇに内部配線用電線２１の電線接続部２２を収納自在にした。【選択図】      図１
2004158235.tif 000002
【特許請求の範囲】
【請求項１】
複数のワイヤハーネスの端部に設けられた各コネクタが嵌合される複数のコネクタ装着部と、この各コネクタ装着部内に配置される所定の端子間を電気的に接続する複数の内部配線用電線とを有し、この複数の内部配線用電線を介して前記複数のワイヤハーネス間を電気的に接続すると共に、前記内部配線用電線を介して一部の電線間をスプライス接続するようにしたジョイントコネクタであって、
前記各コネクタ装着部の前記内部配線用電線が導き出される面で、かつ、その近傍に複数の電線収納室を設けたことを特徴とするジョイントコネクタ。
【請求項２】
請求項１記載のジョイントコネクタであって、
前記複数のコネクタ装着部及び前記複数の電線収納室を有するジョイントコネクタハウジングと、このジョイントコネクタハウジングに装着され、前記複数のコネクタ装着部の前記内部配線用電線が導き出される面を覆うカバーとを備えたことを特徴とするジョイントコネクタ。
【発明の詳細な説明】
【０００１】
【発明の属する技術分野】
本発明は、複数のワイヤハーネス間を接続するジョイントコネクタに関する。
【０００２】
【従来の技術】
この種の従来のジョイントコネクタとして、図４に示すものがある（例えば、特許文献１参照。）。
【０００３】
このジョイントコネクタ１は、図４に示すように、一対のワイヤハーネスＷＨ１，ＷＨ２の一部電線Ｗ１，Ｗ２がそれぞれ接続され、互いに嵌合可能な２つのメインコネクタ２，３と、一対のワイヤハーネスＷＨ１，ＷＨ２の一部電線Ｗ３，Ｗ４が接続された２つのサブコネクタ４，５と、この２つのサブコネクタ４，５が嵌合され、２つのサブコネクタ４，５の全ての端子４ａ，５ａ間を電気的に接続するサブジョイントコネクタ６とを備えている。
【０００４】
そして、一対のワイヤハーネスＷＨ１，ＷＨ２間の所定の電線Ｗ１，Ｗ２間をメインコネクタ２，３を介して電気的に接続すると共に、一対のワイヤハーネスＷＨ１，ＷＨ２間の一部電線Ｗ３，Ｗ４や一対のワイヤハーネスＷＨ１，ＷＨ２の一部電線Ｗ３，Ｗ４間をサブコネクタ４，５及びサブジョイントコネクタ６を介してスプライス接続する（継ぎ合わせる）ようになっている。
【０００５】
【特許文献１】
特開２００２−５０２４１号公報
【０００６】
【発明が解決しようとする課題】
しかしながら、前記従来のジョイントコネクタ１では、一対のワイヤハーネスＷＨ１．ＷＨ２間の電線の接続パターンを変更する場合に、一対のワイヤハーネスＷＨ１，ＷＨ２の各電線を接続するメインコネクタ２，３の端子位置を可変しなければならなかった。また、スプライス接続する電線を変更するためには、一対のワイヤハーネスＷＨ１，ＷＨ２の各電線をサブコネクタ４，５に接続変更しなければならなかった。これらに対処するに、一対のワイヤハーネスＷＨ１．ＷＨ２間の所定の電線間を他の複数の電線を介して電気的に接続することが考えられるが、前記他の複数の電線が密集状態で配索されることになるため、電線の収納性が非常に悪くなるという問題が発生する。
【０００７】
そこで、本発明は、前記した課題を解決すべくなされたものであり、内部配線用電線の収納性を向上させることができるジョイントコネクタを提供することを目的とする。
【０００８】
【課題を解決するための手段】
請求項１の発明は、複数のワイヤハーネスの端部に設けられた各コネクタが嵌合される複数のコネクタ装着部と、この各コネクタ装着部内に配置される所定の端子間を電気的に接続する複数の内部配線用電線とを有し、この複数の内部配線用電線を介して前記複数のワイヤハーネス間を電気的に接続すると共に、前記内部配線用電線を介して一部の電線間をスプライス接続するジョイントコネクタであって、前記各コネクタ装着部の前記内部配線用電線が導き出される面で、かつ、その近傍に複数の電線収納室を設けたことを特徴とする。
【０００９】
このジョイントコネクタでは、複数の内部配線用電線の端部を互いに接続するして形成される複数の電線接続部がその近傍の各電線収納室にそれぞれ収納される。
【００１０】
請求項２の発明は、請求項１記載のジョイントコネクタであって、前記複数のコネクタ装着部及び前記複数の電線収納室を有するジョイントコネクタハウジングと、このジョイントコネクタハウジングに装着され、前記複数のコネクタ装着部の前記内部配線用電線が導き出される面を覆うカバーとを備えたことを特徴とする。
【００１１】
このジョイントコネクタでは、請求項１の発明の作用に加え、内部配線用電線がまとまり良く配置され、かつ、カバーの装着が容易となる。
【００１２】
【発明の実施の形態】
以下、本発明の一実施形態を図面に基づいて説明する。
【００１３】
図１〜図３は本発明の一実施形態を示し、図１はジョイントコネクタの分解斜視図、図２はジョイントコネクタの斜視図、図３は内部配線用電線が配索される前のジョイントコネクタハウジングの概略平面図である。
【００１４】
図１及び図２に示すように、ジョイントコネクタ１０は、合成樹脂製のジョイントコネクタハウジング１１と、このジョイントコネクタハウジング１１に装着される合成樹脂製のカバー１２とを備えている。ジョイントコネクタハウジング１１は、３つのコネクタ装着部１３，１４，１５を有し、この各コネクタ装着部１３，１４，１５には一対のワイヤハーネスＷＨ１，ＷＨ２の各コネクタ１６，１７，１８がそれぞれ嵌合されるようになっている。
【００１５】
一方の１つのコネクタ１６には、一方のワイヤハーネスＷＨ１の全電線Ｗ１の端部が接続されている。また、他方の２つのコネクタ１７，１８には、他方のワイヤハーネスＷＨ２の全電線Ｗ２が２分割され、分割された部分の各全電線の端部がそれぞれ接続されている。各コネクタ装着部１３，１４，１５は、ジョイントコネクタハウジング１１の下面側が各コネクタ１６，１７，１８の嵌合側とされている。さらに、ジョイントコネクタハウジング１１の上面側は、内部配線用電線２０，２１の接続面側とされており、この面が内部配線用電線２０，２１が導き出される面となっている。
【００１６】
一対のワイヤハーネスＷＨ１，ＷＨ２の電線Ｗ１，Ｗ２間を接続させるための内部配線用電線２０は、その両端部に端子２０ａ，２０ａが接続され、この両端の端子２０ａ，２０ａが所定のコネクタ装着部１３，１４，１５の所定の端子収容室１３ａ，１４ａ，１５ａに収容されている。また、スプライス接続用の複数本の内部配線用電線２１は、各一端部にのみ端子２１ａが接続され、他端部は内部の導電線２１ｂが互いに接続された電線接続部２２とされている。さらに、内部配線用電線２１の一端部の各端子２１ａは所定のコネクタ装着部１３，１４，１５の所定の端子収容室１３ａ，１４ａ，１５ａに収容されている。また、電線接続部２２は、例えば複数本の導電線２１ｂを締結具等で共に固定し、この部分を粘着テープ等でテーピングすることによって形成されている。
【００１７】
また、ジョイントコネクタハウジング１１には、各コネクタ装着部１３，１４，１５の内部配線用電線２０，２１が導き出される面で、かつ、その近傍に複数の電線収納室２３ａ〜２３ｇが一体形成されている。この各電線収納室２３ａ〜２３ｇには内部配線用電線２１の複数の電線接続部２２がそれぞれ収納されるようになっている。
【００１８】
カバー１２は、ジョイントコネクタハウジング１１の上面側の全体を被う形状を有し、その下端面がジョイントコネクタハウジング１１の上端面に一致する状態で組み付けられるようになっている。ジョイントコネクタハウジング１１とカバー１２の対向する所定位置には、係止突起（係止部）２６と係止孔（係止部）２７ａを有する弾性係止アーム（係止手段）２７とがそれぞれ設けられている。そして、カバー１２がジョイントコネクタハウジング１１に組み付けられると、係止突起２６が弾性係止アーム２７の係止孔２７ａに係止されることによってカバー１２がロックされるようになっている。
【００１９】
このジョイントコネクタ１０によれば、複数の内部配線用電線２０を介して一対のワイヤハーネスＷＨ１，ＷＨ２間の所定の電線Ｗ１，Ｗ２間が電気的に接続されると共に、内部配線用電線２１を介して一部の電線間がスプライス接続される。また、内部配線用電線２０，２１の配線パターンを変更することによって一対のワイヤハーネスＷＨ１，ＷＨ２の電線Ｗ１，Ｗ２間の接続変更やスプライス接続する電線を容易に変更（回路変更）することができる。
【００２０】
そして、このジョイントコネクタ１０では、複数の内部配線用電線２１の端部を互いに接続することによって電線接続部２２が多数形成され、この各電線接続部２２をその近傍の各電線収納室２３ａ〜２３ｇにそれぞれ収納することができる。このため、内部配線用電線２０，２１の収納性が非常に良い。特に、各電線収納室２３ａ〜２３ｇは、複数のコネクタ装着部１３，１４，１５の近傍にそれぞれ配置されているため、内部配線用電線２１の電線接続部２２を短い電線長さで、かつ、個々に収納することができると共に可及的にコンパクトに収納することができる。
【００２１】
この実施形態では、複数のコネクタ装着部１３，１４，１５を有するジョイントコネクタハウジング１１と、このジョイントコネクタハウジング１１に装着され、複数のコネクタ装着部１３，１４，１５の内部配線用電線２０，２１が導き出される面を覆うカバー１２とで構成したので、内部配線用電線２０，２１をまとまり良く配置することができ、かつ、カバー１２の装着を容易に行うことができる。
【００２２】
尚、前記実施形態では、電線収納室２３ａ〜２３ｇが７つ設けられているが、その個数は限定されるものではない。また、ジョイントコネクタハウジング１１には３つのコネクタ装着部１３，１４，１５が設けられているが、２つでも、或いは、４つ以上であっても良いことは勿論である。
【００２３】
【発明の効果】
以上説明したように、請求項１の発明によれば、複数のワイヤハーネスの端部に設けられた各コネクタが嵌合される複数のコネクタ装着部と、この各コネクタ装着部間を電気的に接続する内部配線用電線とを有するジョイントコネクタであって、各コネクタ装着部の内部配線用電線が導き出される面で、かつ、その近傍に複数の電線収納室を設けたので、複数の内部配線用電線の端部を互いに接続して形成される複数の電線接続部をその近傍の各電線収納室にそれぞれ収納することができる。これにより、内部配線用電線の収納性を向上させることができる。特に、各電線収納室は、複数のコネクタ装着部の近傍にそれぞれ配置されているため、内部配線用電線の電線接続部を短い電線長さで、かつ、個々にコンパクトに収納することができる。
【００２４】
請求項２の発明によれば、請求項１記載のジョイントコネクタであって、複数のコネクタ装着部及び複数の電線収納室を有するジョイントコネクタハウジングと、このジョイントコネクタハウジングに装着され、複数のコネクタ装着部の内部配線用電線が導き出される面を覆うカバーとを備えたので、内部配線用電線をまとまり良く配置することができ、かつ、カバーの装着を容易に行うことができる。
【図面の簡単な説明】
【図１】本発明の一実施形態を示し、ジョイントコネクタの分解斜視図である。
【図２】本発明の一実施形態を示し、ジョイントコネクタの斜視図である。
【図３】本発明の一実施形態を示し、内部配線用電線が配索される前のジョイントコネクタハウジングの概略平面図である。
【図４】従来のジョイントコネクタの構成図である。
【符号の説明】
１０  ジョイントコネクタ
１１  ジョイントコネクタハウジング
１２  カバー
１３，１４，１５  コネクタ装着部
１６，１７，１８  コネクタ
２０，２１  内部配線用電線
２０ａ，２１ａ  端子
２２  電線接続部
２３ａ〜２３ｇ  電線収納室
ＷＨ１，ＷＨ２  ワイヤハーネス
【図１】
2004158235.tif 000003
【図２】
2004158235.tif 000004
【図３】
2004158235.tif 000005
【図４】
2004158235.tif 000006